(57)【特許請求の範囲】
【請求項１】
少なくとも映像情報から成るコンテンツと、前記コンテンツの内容を識別するためのコンテンツ識別情報と、が関連付けられた１以上の録画データを記憶する記憶手段と、
前記コンテンツに基づいて、前記各録画データの要約データを生成する要約データ生成手段と、
生成した前記要約データを再生する要約データ再生手段と、
前記各コンテンツの録画履歴および視聴履歴の少なくとも一方を含むアクセス履歴に基づいて、前記各コンテンツに対するユーザ嗜好度を決定する嗜好度決定手段と、
決定した前記ユーザ嗜好度に応じて、前記コンテンツを含む前記録画データの前記要約データとして抽出する１以上の部分シーンの抽出開始位置および各抽出開始位置からの抽出時間を示す要約形態を変更する要約データ変更手段と、を備え、
前記要約データ生成手段は、前記要約形態に基づいて前記要約データを生成することを特徴とする要約データ生成装置。
【請求項２】
決定した前記ユーザ嗜好度順に前記コンテンツ識別情報を一覧表示する識別情報リストを生成するリスト生成手段と、
前記識別情報リストを表示させる表示制御手段と、を更に備えたことを特徴とする請求項１に記載の要約データ生成装置。
【請求項３】
前記要約データ変更手段は、前記要約データ再生手段を制御し、前記要約形態に応じて前記要約データの再生時間を変更することを特徴とする請求項１に記載の要約データ生成装置。
【請求項４】
前記コンテンツ識別情報には録画時間に関する情報が含まれ、
前記表示制御手段は、
前記識別情報リストを表示する時点の時間帯と、前記録画時間の時間帯とが同一である前記コンテンツ識別情報を、前記識別情報リストの上位に表示させることを特徴とする請求項２に記載の要約データ生成装置。
【請求項５】
少なくとも映像情報から成るコンテンツと、前記コンテンツの内容を識別するためのコンテンツ識別情報と、が関連付けられた１以上の録画データを記憶する記憶手段と、
前記コンテンツに基づいて、前記各録画データの要約データを生成する要約データ生成手段と、
生成した前記要約データを再生する要約データ再生手段と、
前記各コンテンツの前記録画データの録画開始から未視聴の経過時間に基づいて、前記各コンテンツに対するユーザ嗜好度を決定する嗜好度決定手段と、
決定した前記ユーザ嗜好度に応じて、前記コンテンツを含む前記録画データの前記要約データとして抽出する１以上の部分シーンの抽出開始位置および各抽出開始位置からの抽出時間を示す要約形態を変更する要約データ変更手段と、を備え、
前記要約データ生成手段は、前記要約形態に基づいて前記要約データを生成することを特徴とする要約データ生成装置。
【請求項６】
視聴および録画の実行時に、当該視聴および録画を行うユーザを識別するためのユーザ情報を入力するユーザ情報入力手段、を更に備え、
前記嗜好度決定手段は、入力されたユーザ毎のアクセス履歴に基づいて、前記ユーザ毎に前記ユーザ嗜好度を決定するとともに、
前記記憶手段は、前記録画データを前記ユーザ毎に記憶し、
前記リスト生成手段は、前記ユーザ毎に前記識別情報リストを生成することを特徴とする請求項２に記載の要約データ生成装置。
【請求項７】
コンテンツと、前記コンテンツの内容を識別するためのコンテンツ識別情報と、が関連付けられた１以上の記録データを取得する記録データ取得手段と、
前記コンテンツに基づいて、前記各記録データの要約データを生成する要約データ生成手段と、
前記各コンテンツの記録操作および視聴操作の少なくとも一方の操作履歴を含むアクセス履歴に基づいて、前記各コンテンツに対するユーザ嗜好度を決定する嗜好度決定手段と、
決定した前記ユーザ嗜好度に応じて、前記コンテンツを含む前記記録データの前記要約データとして抽出する１以上の部分の抽出開始位置および各抽出開始位置からの抽出時間を含む要約形態を変更する要約データ変更手段と、を備え、
前記要約データ生成手段は、前記要約形態に基づいて前記要約データを生成することを特徴とする要約データ生成装置。
【請求項８】
コンテンツと、前記コンテンツの内容を識別するためのコンテンツ識別情報と、が関連付けられた１以上の記録データを取得する記録データ取得手段と、
前記コンテンツに基づいて、前記各記録データの要約データを生成する要約データ生成手段と、
前記各コンテンツの前記記録データの記録開始から未視聴の経過時間に基づいて、前記各コンテンツに対するユーザ嗜好度を決定する嗜好度決定手段と、
決定した前記ユーザ嗜好度に応じて、前記コンテンツを含む前記記録データの前記要約データとして抽出する１以上の部分の抽出開始位置および各抽出開始位置からの抽出時間を含む要約形態を変更する要約データ変更手段と、を備え、
前記要約データ生成手段は、前記要約形態に基づいて前記要約データを生成することを特徴とする要約データ生成装置。
【請求項９】
請求項１ないし８のいずれか１項に記載の要約データ生成装置に用いられ、前記要約データ生成手段により生成された前記要約データを表示する表示装置。
【請求項１０】
請求項７に記載の要約データ生成装置に用いられ、前記記録操作および前記視聴操作を行うための操作装置。
【請求項１１】
少なくとも映像情報から成るコンテンツと、前記コンテンツの内容を識別するためのコンテンツ識別情報と、が関連付けられた１以上の録画データを記憶する工程と、
前記コンテンツに基づいて、前記各録画データの要約データを生成する工程と、
前記各コンテンツの録画履歴および視聴履歴の少なくとも一方を含むアクセス履歴に基づいて、前記各コンテンツに対するユーザ嗜好度を決定する工程と、
決定した前記ユーザ嗜好度に応じて、前記コンテンツを含む前記録画データの前記要約データとして抽出する１以上の部分シーンの抽出開始位置および各抽出開始位置からの抽出時間を示す要約形態を変更する工程と、を備え、
前記要約データを生成する工程では、前記要約形態に基づいて前記要約データを生成することを特徴とする要約データ生成方法。
【請求項１２】
少なくとも映像情報から成るコンテンツと、前記コンテンツの内容を識別するためのコンテンツ識別情報と、が関連付けられた１以上の録画データを記憶する工程と、
前記コンテンツに基づいて、前記各録画データの要約データを生成する工程と、
前記各コンテンツの前記録画データの録画開始から未視聴の経過時間に基づいて、前記各コンテンツに対するユーザ嗜好度を決定する工程と、
決定した前記ユーザ嗜好度に応じて、前記コンテンツを含む前記録画データの前記要約データとして抽出する１以上の部分シーンの抽出開始位置および各抽出開始位置からの抽出時間を示す要約形態を変更する工程と、を備え、
前記要約データを生成する工程では、前記要約形態に基づいて前記要約データを生成することを特徴とする要約データ生成方法。
【請求項１３】
コンテンツと、前記コンテンツの内容を識別するためのコンテンツ識別情報と、が関連付けられた１以上の記録データを取得する工程と、
前記コンテンツに基づいて、前記各記録データの要約データを生成する工程と、
前記各コンテンツの記録操作および視聴操作の少なくとも一方の操作履歴を含むアクセス履歴に基づいて、前記各コンテンツに対するユーザ嗜好度を決定する工程と、
決定した前記ユーザ嗜好度に応じて、前記コンテンツを含む前記記録データの前記要約データとして抽出する１以上の部分の抽出開始位置および各抽出開始位置からの抽出時間を含む要約形態を変更する工程と、を備え、
前記要約データを生成する工程では、前記要約形態に基づいて前記要約データを生成することを特徴とする要約データ生成方法。
【請求項１４】
コンテンツと、前記コンテンツの内容を識別するためのコンテンツ識別情報と、が関連付けられた１以上の記録データを取得する工程と、
前記コンテンツに基づいて、前記各記録データの要約データを生成する工程と、
前記各コンテンツの前記記録データの記録開始から未視聴の経過時間に基づいて、前記各コンテンツに対するユーザ嗜好度を決定する工程と、
決定した前記ユーザ嗜好度に応じて、前記コンテンツを含む前記記録データの前記要約データとして抽出する１以上の部分の抽出開始位置および各抽出開始位置からの抽出時間を含む要約形態を変更する工程と、を備え、
前記要約データを生成する工程では、前記要約形態に基づいて前記要約データを生成することを特徴とする要約データ生成方法。
【請求項１５】
コンピュータを、請求項１ないし８のいずれか１項に記載の要約データ生成装置における各手段として機能させるためのプログラム。
【発明の詳細な説明】
【技術分野】
【０００１】
本発明は、少なくとも映像情報を含むコンテンツを録画した録画データを再生する要約データ生成装置、表示装置、操作装置、要約データ生成方法およびプログラムに関するものである。
【背景技術】
【０００２】
近年、放送やネットワークによって配信される少なくとも映像情報を含むコンテンツの視聴履歴に基づいて、ユーザの当該コンテンツに対するユーザ嗜好度を決定する方法が提案されている（例えば特許文献１参照）。そして、決定したユーザ嗜好度を利用して、視聴対象となる多数のコンテンツからユーザ嗜好度が高いコンテンツを検索して表示したり、ユーザ嗜好度が高いコンテンツを自動録画したりすることができるコンテンツ受信／録画装置が多数登場している。
【０００３】
また、録画データを要約した要約データ（ダイジェスト）を生成し、これを再生して視聴できる録画データ再生装置が開示されている（例えば特許文献２参照）。この要約データは、録画データの検索時に視聴したり、録画データを視聴する時間を短縮させるため、本編に代えて視聴したりすることに利用されている。
【先行技術文献】
【特許文献】
【０００４】
【特許文献１】特開２００３−０２３５８９号公報
【特許文献２】特開２００１−１５５４７０号公報
【発明の概要】
【発明が解決しようとする課題】
【０００５】
ところで、上述の嗜好度が高いコンテンツの場合、ユーザは録画データ本編を視聴する可能性が高いことが容易に想像される。すなわち、要約データが録画データ本編に代えて視聴される可能性は低いものとなる。一方、上述の嗜好度が低いコンテンツの場合、録画データ本編に代えて要約データが視聴されることも多いはずである。このように、ユーザのコンテンツに対する嗜好度によって、そのコンテンツの録画データを要約した要約データの利用も様々であることが想像できるが、従来の録画データ再生装置では、ユーザのコンテンツに対する嗜好度を考慮した要約データを提供することは不可能であった。
【０００６】
上記の問題に鑑み、本発明は、ユーザのコンテンツに対する嗜好度を考慮した、適切な要約データを提供することができる要約データ生成装置、表示装置、操作装置、要約データ生成方法およびプログラムを提供することをその課題とする。
【課題を解決するための手段】
【０００７】
本発明の要約データ生成装置は、少なくとも映像情報から成るコンテンツと、コンテンツの内容を識別するためのコンテンツ識別情報と、が関連付けられた１以上の録画データを記憶する記憶手段と、コンテンツに基づいて、各録画データの要約データを生成する要約データ生成手段と、生成した要約データを再生する要約データ再生手段と、各コンテンツの録画履歴および視聴履歴の少なくとも一方を含むアクセス履歴に基づいて、各コンテンツに対するユーザ嗜好度を決定する嗜好度決定手段と、決定したユーザ嗜好度に応じて、コンテンツを含む録画データの要約データとして抽出する１以上の部分シーンの抽出開始位置および各抽出開始位置からの抽出時間を示す要約形態を変更する要約データ変更手段と、を備え、要約データ生成手段は、要約形態に基づいて要約データを生成することを特徴とする。
この場合、決定したユーザ嗜好度順にコンテンツ識別情報を一覧表示する識別情報リストを生成するリスト生成手段と、識別情報リストを表示させる表示制御手段と、を更に備えたことが好ましい。
この場合、要約データ変更手段は、要約データ再生手段を制御し、要約形態に応じて要約データの再生時間を変更することが好ましい。
この場合、コンテンツ識別情報には録画時間に関する情報が含まれ、表示制御手段は、識別情報リストを表示する時点の時間帯と、録画時間の時間帯とが同一であるコンテンツ識別情報を、識別情報リストの上位に表示させることが好ましい。
本発明の他の要約データ生成装置は、少なくとも映像情報から成るコンテンツと、コンテンツの内容を識別するためのコンテンツ識別情報と、が関連付けられた１以上の録画データを記憶する記憶手段と、コンテンツに基づいて、各録画データの要約データを生成する要約データ生成手段と、生成した要約データを再生する要約データ再生手段と、各コンテンツの録画データの録画開始から未視聴の経過時間に基づいて、各コンテンツに対するユーザ嗜好度を決定する嗜好度決定手段と、決定したユーザ嗜好度に応じて、コンテンツを含む録画データの要約データとして抽出する１以上の部分シーンの抽出開始位置および各抽出開始位置からの抽出時間を示す要約形態を変更する要約データ変更手段と、を備え、要約データ生成手段は、要約形態に基づいて要約データを生成することを特徴とする。
この場合、視聴および録画の実行時に、当該視聴および録画を行うユーザを識別するためのユーザ情報を入力するユーザ情報入力手段、を更に備え、嗜好度決定手段は、入力されたユーザ毎のアクセス履歴に基づいて、ユーザ毎にユーザ嗜好度を決定するとともに、記憶手段は、録画データをユーザ毎に記憶し、リスト生成手段は、ユーザ毎に識別情報リストを生成することが好ましい。
本発明の他の要約データ生成装置は、コンテンツと、コンテンツの内容を識別するためのコンテンツ識別情報と、が関連付けられた１以上の記録データを取得する記録データ取得手段と、コンテンツに基づいて、各記録データの要約データを生成する要約データ生成手段と、各コンテンツの記録操作および視聴操作の少なくとも一方の操作履歴を含むアクセス履歴に基づいて、各コンテンツに対するユーザ嗜好度を決定する嗜好度決定手段と、決定したユーザ嗜好度に応じて、コンテンツを含む記録データの要約データとして抽出する１以上の部分の抽出開始位置および各抽出開始位置からの抽出時間を含む要約形態を変更する要約データ変更手段と、を備え、要約データ生成手段は、要約形態に基づいて要約データを生成することを特徴とする。
本発明の他の要約データ生成装置は、コンテンツと、コンテンツの内容を識別するためのコンテンツ識別情報と、が関連付けられた１以上の記録データを取得する記録データ取得手段と、コンテンツに基づいて、各記録データの要約データを生成する要約データ生成手段と、各コンテンツの記録データの記録開始から未視聴の経過時間に基づいて、各コンテンツに対するユーザ嗜好度を決定する嗜好度決定手段と、決定したユーザ嗜好度に応じて、コンテンツを含む記録データの要約データとして抽出する１以上の部分の抽出開始位置および各抽出開始位置からの抽出時間を含む要約形態を変更する要約データ変更手段と、を備え、要約データ生成手段は、要約形態に基づいて要約データを生成することを特徴とする。
本発明の表示装置は、上記の要約データ生成装置に用いられ、要約データ生成手段により生成された要約データを表示することを特徴とする。
本発明の操作装置は、上記の要約データ生成装置に用いられ、記録操作および視聴操作を行うことを特徴とする。
本発明の要約データ生成方法は、少なくとも映像情報から成るコンテンツと、コンテンツの内容を識別するためのコンテンツ識別情報と、が関連付けられた１以上の録画データを記憶する工程と、コンテンツに基づいて、各録画データの要約データを生成する工程と、各コンテンツの録画履歴および視聴履歴の少なくとも一方を含むアクセス履歴に基づいて、各コンテンツに対するユーザ嗜好度を決定する工程と、決定したユーザ嗜好度に応じて、コンテンツを含む録画データの要約データとして抽出する１以上の部分シーンの抽出開始位置および各抽出開始位置からの抽出時間を示す要約形態を変更する工程と、を備え、要約データを生成する工程では、要約形態に基づいて要約データを生成することを特徴とする。
本発明の他の要約データ生成方法は、少なくとも映像情報から成るコンテンツと、コンテンツの内容を識別するためのコンテンツ識別情報と、が関連付けられた１以上の録画データを記憶する工程と、コンテンツに基づいて、各録画データの要約データを生成する工程と、各コンテンツの録画データの録画開始から未視聴の経過時間に基づいて、各コンテンツに対するユーザ嗜好度を決定する工程と、決定したユーザ嗜好度に応じて、コンテンツを含む録画データの要約データとして抽出する１以上の部分シーンの抽出開始位置および各抽出開始位置からの抽出時間を示す要約形態を変更する工程と、を備え、要約データを生成する工程では、要約形態に基づいて要約データを生成することを特徴とする。
本発明の他の要約データ生成方法は、コンテンツと、コンテンツの内容を識別するためのコンテンツ識別情報と、が関連付けられた１以上の記録データを取得する工程と、コンテンツに基づいて、各記録データの要約データを生成する工程と、各コンテンツの記録操作および視聴操作の少なくとも一方の操作履歴を含むアクセス履歴に基づいて、各コンテンツに対するユーザ嗜好度を決定する工程と、決定したユーザ嗜好度に応じて、コンテンツを含む記録データの要約データとして抽出する１以上の部分の抽出開始位置および各抽出開始位置からの抽出時間を含む要約形態を変更する工程と、を備え、要約データを生成する工程では、要約形態に基づいて要約データを生成することを特徴とする。
本発明の他の要約データ生成方法は、コンテンツと、コンテンツの内容を識別するためのコンテンツ識別情報と、が関連付けられた１以上の記録データを取得する工程と、コンテンツに基づいて、各記録データの要約データを生成する工程と、各コンテンツの記録データの記録開始から未視聴の経過時間に基づいて、各コンテンツに対するユーザ嗜好度を決定する工程と、決定したユーザ嗜好度に応じて、コンテンツを含む記録データの要約データとして抽出する１以上の部分の抽出開始位置および各抽出開始位置からの抽出時間を含む要約形態を変更する工程と、を備え、要約データを生成する工程では、要約形態に基づいて要約データを生成することを特徴とする。
本発明のプログラムは、コンピュータを、上記に記載の要約データ生成装置における各手段として機能させることを特徴とする。
なお、以下の構成としても良い。
【０００８】
本発明の録画データ再生装置は、少なくとも映像情報から成るコンテンツと、前記コンテンツの内容を識別するためのコンテンツ識別情報と、が関連付けられた１以上の録画データを記憶する記憶手段と、コンテンツに基づいて、各録画データの要約データを生成する要約データ生成手段と、生成した要約データを再生する要約データ再生手段と、各コンテンツのアクセス履歴に基づいて、各コンテンツに対するユーザ嗜好度を決定する嗜好度決定手段と、決定したユーザ嗜好度に応じて、コンテンツを含む録画データの要約データにおける要約形態を変更する要約データ変更手段と、を備え、要約データ生成手段は、コンテンツから抽出する１以上の部分シーンの抽出開始位置および各抽出開始位置からの抽出時間に関する情報を、要約データとして生成し、要約データ変更手段は、要約データ生成手段を制御し、部分シーンの抽出開始位置を変更することを特徴とする。
【０００９】
この構成によれば、録画データの各コンテンツに対するユーザ嗜好度を決定し、決定したユーザ嗜好度に応じて、そのコンテンツを含む録画データの要約データにおける要約形態を変更するので、ユーザの各コンテンツに対する嗜好度を考慮した、適切な要約データをユーザへ提供することができる。すなわち、ユーザは自身の各コンテンツに対する嗜好度に応じて様々な用途にそのコンテンツの要約データを利用し易くなる。なお、「コンテンツに対するユーザ嗜好度」とは、視聴者（ユーザ）のコンテンツに対する「好みの度合い」を数値化したものである。
また、この構成によれば、ユーザ嗜好度に応じた要約形態の変更として、録画データから要約データとして抽出する１以上の部分シーンの抽出開始位置を変更することによって、例えば嗜好度が高いコンテンツの要約データは、よりユーザの視聴意欲を高めるべく録画データの結末（後半部分）が要約データに入らないよう、全ての抽出開始位置を録画データの前半部分に設定したり、反対に、嗜好度が低いコンテンツの要約データは、録画データの概要が要約データを視聴することで把握できるよう、録画データ全体から均等に抽出開始位置を設定したりすることが可能となるので、ユーザ嗜好度に応じた、多様な要約データを生成することができる。なお、嗜好度が低いコンテンツの要約データは、そのコンテンツに対してユーザに興味を抱かせるよう、録画データのハイライトシーンを抽出して要約データを生成してもよい。
【００１０】
この場合、決定したユーザ嗜好度順にコンテンツ識別情報を一覧表示する識別情報リストを生成するリスト生成手段と、識別情報リストを表示させる表示制御手段と、を更に備えることが好ましい。
【００１１】
この構成によれば、決定したユーザ嗜好度順に識別情報リストを表示する、すなわちコンテンツ識別情報をユーザの視聴傾向が高い順に並べたり若しくは低い順に並べたりすることができる。従って、例えばコンテンツ識別情報をユーザ嗜好度が高い順に表示することにより、ユーザは、自身がより好みそうな録画データを記憶している録画データのなかから容易に検索することができる。
【００１２】
また、この場合、要約データ変更手段は、要約データ再生手段を制御し、要約データの再生時間を変更すること好ましい。
【００１３】
この構成によれば、ユーザ嗜好度に応じた要約形態の変更として、要約データの再生時間を変更することから、例えば嗜好度が高いコンテンツ、すなわちユーザが録画データ本編を視聴する可能性が高いコンテンツの要約データは再生時間を短めに設定し、反対に嗜好度が低いコンテンツ、すなわちユーザが録画データ本編を視聴する可能性が低いコンテンツの要約データは、要約データを視聴するだけで内容が把握できるよう再生時間を長めに設定する、といった制御が可能となり、要約データの利用形態に応じた適切な制御が実現できる。また、この場合要約データの再生時間のみを変更するので、要約データを再び生成する必要がなく処理効率がよい。
【００１４】
また、この場合、要約データ生成手段は、コンテンツから抽出する１以上の部分シーンの抽出開始位置および各抽出開始位置からの抽出時間に関する情報を、要約データとして生成し、要約データ変更手段は、要約データ生成手段を制御し、抽出時間の総和を変更することが好ましい。
【００１５】
この構成によれば、要約形態の変更として、要約データとして抽出する部分シーンの抽出時間の総和を変更する、すなわち要約データの長さを変更するので、例えば嗜好度が高いコンテンツ、すなわちユーザが録画データ本編を視聴する可能性が高いコンテンツの要約データはその長さを短縮し、反対に嗜好度が低いコンテンツ、すなわちユーザが録画データ本編を視聴する可能性が低いコンテンツの要約データは、要約データを視聴するだけでその内容が把握できるよう要約データの長さを延長する、といった制御が可能となり、要約データの利用形態に応じた適切な制御が実現できる。
【００１６】
また、この場合、コンテンツ識別情報には録画時間に関する情報が含まれ、表示制御手段は、識別情報リストを表示する時点の時間帯と、録画時間の時間帯とが同一であるコンテンツ識別情報を、識別情報リストの上位に表示させることが好ましい。
【００１７】
この構成によれば、ユーザが録画データを視聴しようとしている時間帯と同一の時間帯に録画された録画データのコンテンツ識別情報が、識別情報リストの上位に表示されることから、ユーザが、コンテンツの録画時間帯と同一の時間帯にそのコンテンツの録画データを視聴することを望む場合、容易に該当する録画データを検索することが可能となる。
【００１８】
本発明の他の録画データ再生装置は、少なくとも映像情報から成るコンテンツと、前記コンテンツの内容を識別するためのコンテンツ識別情報と、が関連付けられた１以上の録画データを記憶する記憶手段と、コンテンツに基づいて、各録画データの要約データを生成する要約データ生成手段と、生成した要約データを再生する要約データ再生手段と、各コンテンツのアクセス履歴に基づいて、各コンテンツに対するユーザ嗜好度を決定する嗜好度決定手段と、決定したユーザ嗜好度に応じて、コンテンツを含む録画データの要約データにおける要約形態を変更する要約データ変更手段と、を備え、嗜好度決定手段は、録画データの再生時間に基づいて、当該録画データにおけるコンテンツのユーザ嗜好度を更新することを特徴とする。
【００１９】
この構成によれば、録画データの再生時間に基づいて、その録画データにおける前記コンテンツのユーザ嗜好度を更新するので、例えば、再生時間に比例してユーザ嗜好度を高く決定すれば、ユーザがそのコンテンツを視聴すればするほど嗜好度は高いものとなり、より確実にコンテンツに対するユーザの視聴傾向をユーザ嗜好度に反映させることができる。なお、この場合、各録画データのコンテンツに対して嗜好度を決定するのではなく、例えば録画履歴が同一曜日、同一時間帯および同一チャンネルとなる複数のコンテンツをグループ化し、そのグループ毎にユーザ嗜好度を決定することが好ましい。
【００２０】
本発明の他の録画データ再生装置は、少なくとも映像情報から成るコンテンツと、前記コンテンツの内容を識別するためのコンテンツ識別情報と、が関連付けられた１以上の録画データを記憶する記憶手段と、コンテンツに基づいて、各録画データの要約データを生成する要約データ生成手段と、生成した要約データを再生する要約データ再生手段と、各コンテンツのアクセス履歴に基づいて、各コンテンツに対するユーザ嗜好度を決定する嗜好度決定手段と、決定したユーザ嗜好度に応じて、コンテンツを含む録画データの要約データにおける要約形態を変更する要約データ変更手段と、を備え、嗜好度決定手段は、録画データの録画開始から未視聴の経過時間に基づいて、当該録画データにおけるコンテンツのユーザ嗜好度を更新することを特徴とする。
【００２１】
この構成によれば、録画データの録画開始から未視聴の経過時間に基づいて、その録画データにおけるコンテンツのユーザ嗜好度を更新するので、例えば、未視聴の経過時間に比例してユーザ嗜好度を低く決定すれば、ユーザが録画はしたものの、そのコンテンツを視聴しない時間が経過すればするほど嗜好度は低いものとなり、より確実にコンテンツに対するユーザの視聴傾向をユーザ嗜好度に反映させることができる。
【００２２】
さらに、この場合、視聴および録画の実行時に、当該視聴および録画を行うユーザを識別するためのユーザ情報を入力するユーザ情報入力手段、を更に備え、嗜好度決定手段は、入力されたユーザ毎のアクセス履歴に基づいて、ユーザ毎にユーザ嗜好度を決定するとともに、記憶手段は、録画データをユーザ毎に記憶し、リスト生成手段は、ユーザ毎に識別情報リストを生成することが好ましい。
【００２３】
この構成によれば、視聴および録画を実行するユーザを識別し、そのユーザ毎に嗜好度を決定し、さらにユーザ毎に識別情報リストを生成するので、例えば、家族など複数人数で録画データ再生装置を共有する場合でも、各ユーザの視聴傾向を正確にユーザ嗜好度に反映させることができる。また、ユーザ毎に識別情報リストを生成するので、ユーザは自身が録画した録画データのコンテンツ識別情報のみを抽出表示した識別情報リストを視認することが可能となる。
【００２４】
本発明のプログラムは、上記の録画データ再生装置における各手段として機能させるためのものであることを特徴とする。
【００２５】
このプログラムを用いることにより、ユーザのコンテンツに対する嗜好度を考慮した、適切な要約データを提供することができる録画データ再生装置を実現することができる。
【図面の簡単な説明】
【００２６】
【図１】本発明の一実施形態に係る録画データ再生装置のブロック構成図である。
【図２】アクセス履歴の一例を示す図である。
【図３】ユーザ嗜好度を決定する方法の一例を説明するための説明図である。
【図４】再生ポイント算出のフローを表すフローチャートである。
【図５】嗜好度記憶部に記憶されるデータの一例である。
【図６】要約形態変更の一例を説明するための説明図である。
【図７】要約形態変更の他の例を説明するための説明図である。
【図８】要約データの再生映像および識別情報リストを同一画面で表示するリスト・再生画面の一例を示す図である。
【図９】第２実施形態に係る録画データ再生装置における、録画および再生実行時の制御フローである。
【図１０】ユーザ情報入力時および識別情報リスト表示時に表示する表示画面の一例を表す図である。
【発明を実施するための形態】
【００２７】
以下、本発明の一実施形態に係る要約データ生成装置、表示装置、操作装置、要約データ生成方法およびプログラムについて、添付図面を参照しながら詳細に説明する。図１は、本発明の一実施形態に係る録画データ再生装置１０のブロック構成図である。同図に示すように、録画データ再生装置１０は、外部から少なくとも映像情報を含むコンテンツを取得するコンテンツ取得部２０と、各種制御を行う制御部３０と、コンテンツを録画した録画データを記憶する記憶部４０と、録画データや要約データの再生、並びに録画データや要約データの再生映像を表示装置９１に表示するための制御を行う再生・表示部５０と、から構成される。
【００２８】
コンテンツ取得部２０は、受信アンテナ８１から地上波、ＢＳ、ＣＳ等のテレビジョン放送を受信する場合、いわゆるチューナが主要構成要素となる。また、外部機器８２（外部出力端子を有するテレビ、パーソナルコンピュータ、各種チューナ等）からコンテンツを取得する場合は、外部入力端子がコンテンツ取得部２０の主要構成要素となる。なお、特に図示しないが、コンテンツ取得部２０は、インターネットなど通信網を介して配信される映像情報を取得することも可能であり、コンテンツ取得部２０として、各種半導体メモリや光ディスクの読取装置を搭載している場合は、それらに記録されているコンテンツを取得することも可能である。また、コンテンツ取得部２０は、コンテンツの取得元（例えばテレビ放送局等）から、そのコンテンツの番組タイトルや番組ジャンルといったコンテンツに関する詳細情報をコンテンツとともに取得することが可能である。
【００２９】
制御部３０は、録画データ再生装置１０の各部を統括して各種制御を行うものであり、具体的には、取得したコンテンツを録画するコンテンツ録画部３１と、録画したコンテンツに基づいて要約データを生成する要約データ生成部３２と、要約データ生成部３２および要約データ再生部５２による制御を変更させる要約データ変更部３３と、アクセス履歴記憶部４３に記憶したアクセス履歴Ａｃ（図２参照）に基づいて、録画した各コンテンツに対するユーザ嗜好度Ｐを決定する嗜好度決定部３４と、コンテンツを識別するためのコンテンツ識別情報ＣＩ（後述する；図８参照）を一覧表示する識別情報リスト１１０（図８参照）を生成するリスト生成部３５と、を備えている。
【００３０】
なお、要約データ生成部３２によって生成される要約データは、要約データとして抽出する１以上の部分シーンの抽出開始位置Ｂおよび各抽出開始位置からの各抽出時間Ｔに関するデータである（図６または図７参照）。また、制御部３０は例えばリモコン等のＵＩ入力装置９２から送信される信号を受信し、これに基づいて各種制御を行うことが可能である。
【００３１】
記憶部４０は、上記のコンテンツ録画部３１によって録画された録画データを記憶する録画データ記憶部４１と、要約データ生成部３２によって生成された要約データを記憶する要約データ記憶部４２と、取得した各コンテンツの録画履歴および視聴履歴を含むアクセス履歴Ａｃを記憶するアクセス履歴記憶部４３と、嗜好度決定部３４によって決定されたユーザ嗜好度Ｐを記憶する嗜好度記憶部４４と、を備えている。また、録画データ記憶部４１は、録画したコンテンツと、これを識別するためのコンテンツ識別情報ＣＩ（例えば録画開始日時および録画チャンネル等；コンテンツ取得部２０が番組タイトル等の詳細情報を取得した場合にはこれを含む）とを関連付け、これを録画データとして記憶している。なお、要約データには、対応する録画データに関する情報（例えばコンテンツ識別情報ＣＩ）が付加されている。また、記憶部４０はハードディスク、各種半導体メモリ、各種光ディスク等により構成可能であり、その種類は問わない。
【００３２】
再生・表示部５０は、録画データを再生する録画データ再生部５１と、要約データを再生する要約データ再生部５２と、上述のリスト生成部３５により生成された識別情報リストおよび要約データや録画データの再生映像を表示装置９１に表示させるための制御を行う表示制御部５３と、を備えている。
【００３３】
例えば、コンテンツ録画部３１においてコンテンツの録画を完了すると、録画したコンテンツと、そのコンテンツを識別するためのコンテンツ識別情報ＣＩとが関連付けられ、録画データとして録画データ記憶部４１に記憶される。さらに、要約データ生成部３２において要約データが生成され、要約データ記憶部４２に記憶される。なお、要約データの生成を録画の実行と同期して行う構成でもよい。また、このときアクセス履歴Ａｃとして、１のコンテンツに対して録画が実行された旨の履歴データが生成される。以下、このアクセス履歴Ａｃについて図２を参照して説明する。
【００３４】
同図に示すように、アクセス履歴Ａｃは、ユーザが１のコンテンツに対して録画および再生を実行する度にその履歴として履歴データが生成されるものであり、データ項目として、「録画日」、「録画時間帯」、「録画曜日」、「録画チャンネル」、「アクセス種別」、「再生日」、「再生時間」を有している。制御部３０は、コンテンツの録画が完了すると、「録画日」、「録画時間帯」、「録画曜日」および「録画チャンネル」に関する情報をコンテンツ録画部３１より取得し、さらに「アクセス種別」を「録画」に設定して１の履歴データを生成し、アクセス履歴Ａｃとして記憶する。また、制御部３０は、録画データの再生を終了すると、再生した録画データの「再生時間」に関する情報を録画データ再生部５１より取得し、さらに「アクセス種別」を「再生」に、「再生日」に現在の日付を設定して１の履歴データを生成し、アクセス履歴Ａｃとして記憶する。
【００３５】
続いて、上述のアクセス履歴Ａｃに基づくユーザ嗜好度Ｐ決定処理の一例について説明する。図３（ａ）に示すように、嗜好度決定部３４は、１のコンテンツに対して録画が実行された場合、そのコンテンツに対して録画ポイントＲ（値は任意とする）を付与し、この付与値をそのコンテンツに対するユーザ嗜好度Ｐとして決定する。なお、録画ポイントＲは、コンテンツの番組ジャンル、放送曜日、放送枠（時間帯）等で重み付けを行ってもよい。
【００３６】
また、同図（ｂ）に示すように、１のコンテンツに対して再生が実行された場合、そのコンテンツに対して再生ポイントＳを算出し、算出した再生ポイントＳと、そのコンテンツに対する既存のユーザ嗜好度Ｐｏとを加算した値を、最新のユーザ嗜好度Ｐｎとして更新する。
【００３７】
ここで、嗜好度決定部３４による再生ポイントＳの算出方法について説明する。再生ポイントＳは、録画したコンテンツを例えば１５分単位で区切り、これらを１の枠として枠毎に枠ポイントＮを算出し、算出した枠ポイントＮの総和を枠数（コンテンツが６０分の場合枠数は４となる）で除したものである（図３（ｂ）参照）。そして、枠ポイントＮは、図示するように連続再生回数ｎを指数として算出される。以下、録画日時「２００５／６／７」、録画曜日「水」、録画時間帯「２２：００〜２３：００」、および録画チャンネル「ＣＨ８」であるコンテンツの録画データが６０分再生された場合の再生ポイントＳの算出例について、図３（ｂ）および図４のフローチャートを参照して具体的に説明する。なお、以下の説明では録画データが初めて再生されたものとする。
【００３８】
図４のフローチャートに示すように、まず、枠ポイントＮに初期値として任意の値を設定する（仮に本実施形態では「３」に設定；（Ｓ０１）。次に、録画データが初めて再生されたので、連続再生回数ｎを「０」に設定する（Ｓ０２）。そして、最初の枠（０〜１５分）の枠ポイントＮを算出する（Ｓ０３）。この場合、枠ポイントＮは、３＋２0＝４となる（図３（ｂ）参照）。さらに、再生がこの枠（０分〜１５分）で終了したか否かを判別する（Ｓ０４）。図３（ｂ）に示すように、この録画データの再生時間は６０分であり、再生はこの枠で終了しておらず（Ｓ０４：Ｎｏ）、連続再生回数ｎをカウントアップする（ｎ＝１；Ｓ０５）。
【００３９】
そして、次の枠（１５〜３０分）の枠ポイントＮを算出する（Ｓ０３）。この場合、枠ポイントＮは、３＋２1＝５となる（図３（ｂ）参照）。さらに、再生がこの枠（１５分〜３０分）で終了したか否かを判別する（Ｓ０４）。上記同様に、再生はこの枠で終了しておらず（Ｓ０４：Ｎｏ）、連続再生回数ｎをカウントアップする（ｎ＝２；Ｓ０５）。そして、さらに次の枠（３０〜４５分）の枠ポイントＮを算出する（Ｓ０３）。この場合、枠ポイントＮは、３＋２2＝７となる（図３（ｂ）参照）。さらに、再生がこの枠（１５分〜３０分）で終了したか否かを判別し（Ｓ０４）、上記同様に、再生はこの枠で終了していないので（Ｓ０４：Ｎｏ）、連続再生回数ｎをカウントアップする（ｎ＝３；Ｓ０５）。
【００４０】
そして、さらに次の枠（４５分〜６０分）の枠ポイントＮを算出する（Ｓ０３）。この場合、枠ポイントＮは、３＋２3＝１１となる（図３（ｂ）参照）。その後、再生がこの枠（４５分〜６０分）で終了したか否かを判別する（Ｓ０４）。ここでは、再生がこの枠で終了するので（Ｓ０４：Ｙｅｓ）、図３（ｂ）に示す計算式に基づいて再生ポイントＳを算出する（Ｓ０６）。すなわち、図３（ｂ）に図示するように再生ポイントＳは６となる。なお、ここでは小数点以下を切り捨てているが、小数点以下を四捨五入してもよい。
【００４１】
また、枠ポイントＮおよび連続再生回数ｎの値はユーザ嗜好度Ｐの値とともに嗜好度記憶部４４に記憶される。すなわち、録画データの再生が２回目以降である場合には、枠ポイントＮに対する初期値の設定に代えて（Ｓ０１に該当）、記憶している枠ポイントＮの値を設定する。同様に、連続再生回数ｎに対する「０」の設定に代えて（Ｓ０２に該当）、記憶している連続再生回数ｎの値を設定する。すなわち、録画データの再生時間に比例して、その録画データのコンテンツに対するユーザ嗜好度Ｐの値も高く決定される。
【００４２】
さらに、図３（ｃ）に示すように、嗜好度決定部３４は、１のコンテンツに対して録画が実行され、且つその録画データが未視聴である場合、そのコンテンツに対して未視聴ポイントＭを算出し、算出した未視聴ポイントＭに当該コンテンツに対する既存のユーザ嗜好度Ｐｏを加算した値を、そのコンテンツに対する最新のユーザ嗜好度Ｐｎとして更新する。なお未視聴ポイントＭは同図（ｃ）に示す計算式に基づいて算出されるものであり、初期値は任意の値とする。
【００４３】
また、未視聴ポイントＭを計算する計算式の指数（ｄ／２）に含まれる定数ｄは、録画の実行から未視聴である間の経過日数ｄである。同図（ｃ）に示すように、例えばこの嗜好度決定処理を１日１回の周期で実行する場合には、経過日数ｄの値を前回の値から＋１ずつカウントアップする。なお、未視聴ポイントＭおよび経過日数ｄの値はユーザ嗜好度Ｐの値とともに嗜好度記憶部４４に記憶される。すなわち、録画データが未視聴である間の経過日数に比例して、その録画データのコンテンツに対するユーザ嗜好度Ｐの値が低く決定される。
【００４４】
さらに、本実施形態に係る録画データ再生装置１０は、ユーザ嗜好度Ｐを各録画データのコンテンツ毎に決定するのではなく、録画履歴が同一曜日、同一時間帯、および同一チャンネルとなる複数のコンテンツ、すなわち同一番組であるコンテンツ毎にユーザ嗜好度Ｐを決定する。従って、図２に示すアクセス履歴Ａｃに基づいてユーザ嗜好度Ｐを決定した場合、図５に示すようにユーザ嗜好度Ｐは、録画曜日「水」、録画時間帯「２２：００〜２３：００」、録画チャンネル「ＣＨ８」であるコンテンツと、録画曜日「金」、録画時間帯「１７：００〜１８：００」、録画チャンネル「ＣＨ１」であるコンテンツ毎に決定されて記憶される。
【００４５】
そして、例えば図２に示すアクセス履歴Ａｃにおいて、録画日が「２００５／９／１４」、録画の時間帯が「２２：００〜２３：００」、曜日が「水」、録画チャンネルが「ＣＨ８」、アクセス種別が「録画」である履歴データが生成された場合、嗜好度決定部３４は、録画曜日「水」、録画時間帯「２２：００〜２３：００」、録画チャンネル「ＣＨ８」のコンテンツに対して記憶しているユーザ嗜好度Ｐに録画ポイントＲを加算し、ユーザ嗜好度Ｐを更新する。
【００４６】
また、同図に示すように、上述のユーザ嗜好度Ｐに加え、枠ポイントＮ、連続再生回数ｎ、未視聴ポイントＭ、経過日数ｄの値も同一番組であるコンテンツ毎に記憶される。なお、上記の説明では録画履歴が同一曜日、同一時間帯、および同一チャンネルである複数のコンテンツを同一番組としてユーザ嗜好度Ｐを決定しているが、コンテンツ取得部２０において、同一番組であると判別するための例えば番組ＩＤや番組タイトルを取得している場合には、これに基づいてユーザ嗜好度Ｐを決定する構成でもよい。さらに、この他にも各コンテンツのジャンル毎や出演者毎にユーザ嗜好度Ｐを決定してもよい。なお、ジャンルに関する情報は、電子番組ガイド（ＥＰＧ：Electric Program Guide）から適宜取得できる。
【００４７】
また、上述のようにユーザ嗜好度Ｐの決定処理は、例えば１日１回の周期で周期的に実行されるものとしたが、録画データの電源ＯＮまたはＯＦＦ時など、所定の操作をトリガとして実行してもよい。もちろん、録画ポイントＲおよび再生ポイントＮの算出に伴うユーザ嗜好度Ｐの更新については、録画および再生処理をトリガとして実行する構成でもよい。
【００４８】
そして、本実施形態に係る録画データ再生装置１０は、各コンテンツに対して決定したユーザ嗜好度Ｐに応じて、そのコンテンツを含む録画データを要約した要約データの要約形態を変更する。以下、この制御について説明する。
【００４９】
この要約形態変更の制御は、主に要約データ変更部３３により実行される。上述のように要約データは、コンテンツから抽出する１以上の部分シーンの抽出開始位置Ｂおよび各抽出開始位置Ｂからの抽出時間Ｔに関するデータであるが、要約データ変更部３３は、要約データの生成対象となるコンテンツに対するユーザ嗜好度Ｐに応じて、要約データ生成部３２に対し、上記抽出時間Ｔの総和、または上記抽出開始位置Ｂを変更させる制御を行う。最初に、抽出時間Ｔの総和を変更する処理から図６を参照して説明する。なお、以下の説明では、ユーザ嗜好度Ｐを「ふつう」、「高」、「低」の３段階にランク付けする例を説明する。
【００５０】
同図（ａ）は、ユーザ嗜好度Ｐが「ふつう」にランク付けされたコンテンツの要約データの一例である。図示するように、１２０分から成るコンテンツにおいて、部分シーンＳＣの抽出開始位置Ｂは、それぞれ１０分（Ｂ１）、３０分（Ｂ２）、５０分（Ｂ３）、７０分（Ｂ４）、９０分（Ｂ５）、１１０分（Ｂ６）の位置にそれぞれ設定され、抽出開始位置Ｂからの抽出時間Ｔは全て０．５分に設定されている。すなわち抽出時間Ｔの総和は３分となり、要約データの再生時間が３分となる。
【００５１】
これに対し、同図（ｂ）は、ユーザ嗜好度Ｐが「高」にランク付けされたコンテンツの要約データの一例である。図示するように、１２０分から成るコンテンツにおいて、部分シーンＳＣの抽出開始位置Ｂは同図（ａ）に示す例と同様であるが、抽出開始位置Ｂからの抽出時間Ｔは全て０．２５分に設定されている。すなわち抽出時間Ｔの総和は１．５分となり、要約データの再生時間が１．５分となる。
【００５２】
一方、同図（ｃ）は、ユーザ嗜好度Ｐが「低」にランク付けされたコンテンツの要約データの一例である。図示するように、１２０分から成るコンテンツにおいて、部分シーンＳＣの抽出開始位置Ｂは同図（ａ）および（ｂ）に示す例と同様であるが、抽出開始位置Ｂからの抽出時間Ｔは全て０．７５分に設定されている。すなわち抽出時間Ｔの総和は４．５分となり、要約データの再生時間が４．５分となる。
【００５３】
なお、上述の例では、各抽出開始位置（Ｂ１〜Ｂ６）からの抽出時間Ｔを全て均等としているが、抽出時間Ｔは均等でなくてもよい。例えば同図（ｂ）に示す例にでは、抽出開始位置Ｂ１〜Ｂ３からの抽出時間を０．３分とし、抽出開始位置Ｂ４〜Ｂ６からの抽出時間を０．２分としてもよい。同様に、同図（ｃ）に示す例にでは、抽出開始位置Ｂ１〜Ｂ３からの抽出時間を０．５分とし、抽出開始位置Ｂ４〜Ｂ６からの抽出時間を１分としてもよい。
【００５４】
また、ユーザ嗜好度Ｐが高い場合に要約データの長さを短縮する理由は、ユーザ嗜好度Ｐが高いコンテンツは、ユーザが録画データ本編を視聴する可能性が高く、要約データの重要度が比較的低いものとなるからである。一方で、ユーザ嗜好度Ｐが低い場合に要約データの長さを延長する理由は、ユーザ嗜好度Ｐが低いコンテンツは、ユーザが録画データ本編を視聴する可能性が低く、要約データを録画データ本編に代えて視聴する可能性も充分あり、その重要度が比較的高いものとなるからである。すなわち、上記の制御を行うことにより、要約データの利用形態に応じた適切な制御が実現可能となる。
【００５５】
次に、抽出開始位置Ｂを変更する処理について図７を参照して説明する。同図（ａ）は、ユーザ嗜好度Ｐが「ふつう」にランク付けされたコンテンツの要約データの一例である。図示するように、１２０分から成るコンテンツにおいて、部分シーンＳＣの抽出開始位置Ｂは、それぞれ３０分（Ｂ１）、４０分（Ｂ２）、５０分（Ｂ３）、６０分（Ｂ４）、７０分（Ｂ５）、８０分（Ｂ６）の位置にそれぞれ設定されている。なお、抽出開始位置Ｂからの抽出時間Ｔは全て０．５分に設定されているとする。従って、要約データとして再生される部分シーンＳＣの抽出範囲はコンテンツの中間部分（３０分〜８０．５分）となる。
【００５６】
これに対し、同図（ｂ）は、ユーザ嗜好度Ｐが「高」にランク付けされたコンテンツの要約データの一例である。図示するように、１２０分から成るコンテンツにおいて、部分シーンＳＣの抽出開始位置Ｂは、それぞれ０分（Ｂ１）、１０分（Ｂ２）、２０分（Ｂ３）、３０分（Ｂ４）、４０分（Ｂ５）、５０分（Ｂ６）の位置にそれぞれ設定されている。従って、要約データとして再生される部分シーンＳＣの抽出範囲はコンテンツ前半部分（０分〜５０．５分）となる。従って、ユーザ嗜好度Ｐが高い、すなわち録画データ本編を視聴する可能性が高いコンテンツの要約データに、コンテンツの後半部分（特に結末部分）が含まれる虞がない。
【００５７】
一方、同図（ｃ）は、ユーザ嗜好度Ｐが「低」にランク付けされたコンテンツの要約データの一例である。図示するように、１２０分から成るコンテンツにおいて、部分シーンＳＣの抽出開始位置Ｂは、それぞれ１０分（Ｂ１）、３０分（Ｂ２）、５０分（Ｂ３）、７０分（Ｂ４）、９０分（Ｂ５）、１１０分（Ｂ６）の位置にそれぞれ設定されている。従って、要約データとして再生される部分シーンＳＣの抽出範囲はほぼコンテンツ全体（１０分〜１１０．５分）となる。従って、ユーザ嗜好度Ｐが低い、すなわち録画データ本編を視聴する可能性が低いコンテンツの要約データを、コンテンツ全体の概略を容易に把握し得る要約データとすることができる。
【００５８】
なお、ユーザ嗜好度Ｐが「低」にランク付けされたコンテンツの要約データは、要約データとして再生される部分シーンＳＣの抽出範囲をコンテンツ後半部分（６０分〜１２０分）に限定してもよい。これにより、特にドラマ、映画、アニメといったジャンルに該当するストーリー性を有するコンテンツにおいて、結末部分が確実に要約データに盛り込まれることにより、ユーザの視聴意欲が高まることが期待できる。また、ユーザ嗜好度Ｐに応じて、抽出時間Ｔの総和および抽出開始位置Ｂの双方を変更させてもよい。
【００５９】
ところで、要約データの再生時間の変更は、上記抽出時間Ｔの総和の変更に代えて、再生時間のみを変更することでも実現し得る。この場合、要約データ生成部３２では、予め抽出時間Ｔの総和を最大として要約データを生成しておく。そして、要約データ変更部３３は、要約データの再生実行に同期して、再生対象となる要約データのコンテンツに対するユーザ嗜好度Ｐを参照しその再生時間を決定する。そして、要約データ再生部５２に対し、決定した再生時間分の再生を行わせる。
【００６０】
このように、各コンテンツに対するユーザ嗜好度Ｐに応じて、要約データとして抽出する部分シーンの抽出開始位置Ｂを変更したり、要約データの再生時間を変更したりすることによって、ユーザの各コンテンツに対する嗜好度を考慮した、適切な要約データをユーザへ提供することができる。すなわち、ユーザは自身の各コンテンツに対する嗜好度に応じて様々な用途にそのコンテンツの要約データを利用し易くなる。なお、上述の例では、ユーザ嗜好度Ｐを三段階にランク付けして要約形態を変更しているが、さらに細かく閾値を設定してもよい。
【００６１】
続いて、表示制御部５３による制御によって表示装置９１に表示される表示画面について、図８を参照して具体的に説明する。同図（ａ）は、識別情報リスト１１０および要約データの再生映像１２０を同一画面に表示する、リスト・再生画面Ｄ１の一例を表すものである。このリスト・再生画面Ｄ１は、例えば録画データ再生装置１０の電源ＯＮや、ユーザによるＵＩ入力装置９２を用いた所定の操作をトリガとして表示される。同図に示すように、リスト・再生画面Ｄ１は、識別情報リスト１１０を表示するリスト表示部Ｄ１ａと、要約データの再生映像を表示する再生映像表示部Ｄ１ｂと、を有している。
【００６２】
リスト表示部Ｄ１ａには、録画データ記憶部４１に記憶された各録画データの各コンテンツ識別情報ＣＩが、識別情報リスト１１０として一覧表示される。具体的には、リスト・再生画面Ｄ１の表示が指示されると、リスト生成部３５が、録画データ記憶部４１のコンテンツ識別情報ＣＩを抽出し識別情報リスト１１０を生成する。そして、表示制御部５３が、生成された識別情報リスト１１０をリスト表示部Ｄ１ｂに表示させるための制御を実行し、これらの処理を経て識別情報リスト１１０がリスト表示部Ｄ１ｂに表示される。本実施形態に示す例では、コンテンツ識別情報ＣＩとして、番組タイトルおよび録画開始日時を記憶しており、識別情報リスト１１０には各録画データの番組タイトルおよび録画開始日時が表示されている。
【００６３】
そして、識別情報リスト１１０を生成するリスト生成部３５は、各コンテンツに対して決定したユーザ嗜好度Ｐ順にコンテンツ識別情報ＣＩを並べて表示する。同図（ｂ）は、識別情報リスト１１０に表示された各コンテンツ識別情報ＣＩのコンテンツに対して決定されたユーザ嗜好度Ｐを示し、図示の識別情報リスト１１０の例では、ユーザ嗜好度Ｐが最も高い番組「ミュージックベスト」および「モーニングＡＢＣ」のコンテンツ識別情報ＣＩから、ユーザ嗜好度Ｐが最も低い番組「美しい風景」のコンテンツ識別情報ＣＩまでが順に表示されている。
【００６４】
また、さらにリスト生成部３５は、各コンテンツ識別情報ＣＩの録画時間が、識別情報リスト１１０を表示する時点の時間帯に該当するコンテンツ識別情報ＣＩを識別情報リスト１１０の上位に表示するようリストを生成する。すなわち、２４時間を例えば深夜枠「２３：００〜０３：５９」、朝枠「０４：００〜１１：５９」、昼枠「１２：００〜１７：５９」、夜枠「１８：００〜２２：５９」といった複数時間帯に区分し、リスト表示時点の時間帯と録画時間の時間帯とが一致するコンテンツ識別情報ＣＩをリスト上位に表示する。
【００６５】
従って、図示するようにリスト表示時点の現在時間が２３：４５であることから、ユーザ嗜好度Ｐが同じ値である番組「ミュージックベスト」および「モーニングＡＢＣ」では、録画時間が朝枠「０４：００〜１１：５９」に該当する「モーニングＡＢＣ」よりも、録画時間が深夜枠「２３：００〜０３：５９」に該当する「ミュージックベスト」のコンテンツ識別情報ＣＩが、識別情報リスト１１０の最上位に表示される。なお、ユーザ嗜好度Ｐよりも、この録画時間およびリスト表示時間の時間帯の一致を優先させた並び条件で識別情報リスト１１０を生成してもよい。この場合、図示の例では「ミュージックベスト」のコンテンツ識別情報ＣＩの次に位置して、「美しい風景」のコンテンツ識別情報ＣＩが表示される。また、同一番組毎にユーザ嗜好度Ｐを決定している場合、識別情報リスト１１０の並び順として、録画日時の新しい順（若しくは古い順）を最優先としてもよい。これにより、複数の異なる番組を録画している場合には、同一番組であって録画日時の異なるコンテンツ識別情報ＣＩが連続して表示されることがない。
【００６６】
さらに、リスト・再生画面Ｄ１に表示された識別情報リスト１１０は、例えばユーザがＵＩ入力装置９２を操作することによって、任意の１のコンテンツ識別情報ＣＩを選択可能に構成されており、選択されたコンテンツ識別情報ＣＩは、表示制御部５３により例えば図示のように反転表示される。
【００６７】
再生映像表示部Ｄ１ｂには、要約データ再生部５２により再生される要約データの再生映像が、表示制御部５３の制御により表示される。なお、再生映像表示部Ｄ１ｂに表示される再生映像１２０は、識別情報リスト１１０において選択されたコンテンツ識別情報ＣＩの録画データを要約した要約データの再生映像となる。すなわち要約データ再生部５２は、選択された１のコンテンツ識別情報ＣＩを含む録画データを録画データ記憶部４１から選択し、選択した録画データの要約データを要約データ記憶部４２から選択し要約データを再生する。
【００６８】
ところで、コンテンツに対するユーザ嗜好度Ｐは個人それぞれ特有のものであるが、録画データ再生装置１０は家族など複数人数で共有することも多い。従って、個人それぞれのユーザ嗜好度Ｐを正確に決定することが困難となる。そこで、以下第２実施形態として、視聴および録画の実行時にユーザ情報を入力し、入力されたユーザ情報に基づいてユーザ嗜好度Ｐを決定する録画データ再生装置１０について説明する。
【００６９】
図９は、本実施形態に係る録画データ再生装置１０において、コンテンツの録画、または録画データの再生実行時の制御フローである。同図に示すように、ユーザがＵＩ入力装置９２を用いてコンテンツの録画、または録画データの再生を録画データ再生装置１０に指示すると（Ｓ１１）、制御部３０は、ユーザに対してユーザ情報の入力を促す処理を実行し、これに応じてユーザが例えばＵＩ入力装置９２を用いてユーザ情報を入力することによって、録画データ再生装置１０にユーザ情報が入力される（Ｓ１２）。
【００７０】
そして、コンテンツの録画または録画データの再生を実行し、これを終了すると、コンテンツの録画を実行した場合は（Ｓ１３：Ｙｅｓ）、コンテンツ識別情報ＣＩに入力されたユーザ情報を含めて録画データを録画データ記憶部４１に記憶する（Ｓ１４）。さらに、入力されたユーザ情報を含めて上述のアクセス履歴Ａｃをアクセス履歴記憶部４３に記憶する（Ｓ１５）。なお、コンテンツ識別情報ＣＩにユーザ情報を含めて記憶する処理（Ｓ１４に該当）を省略し、アクセス履歴Ａｃに含まれる録画履歴を参照して、記憶した各録画データに対応するユーザ情報を取得する構成でもよい。
【００７１】
このように、本第２実施形態に係る録画データ再生装置１０は、入力されたユーザ情報に基づいてユーザ毎のユーザ嗜好度Ｐを決定するので、複数ユーザで装置を共有する場合でも、各ユーザの視聴傾向を正確にユーザ嗜好度Ｐに反映させることができる。また、コンテンツ識別情報ＣＩにユーザ情報が含まれることから、ユーザ毎に識別情報リスト１１０を生成することができ、ユーザは自身が録画した録画データのコンテンツ識別情報ＣＩのみを抽出表示した識別情報リスト１１０を視認することができる。
【００７２】
なお、制御部３０により行われる「ユーザ情報の入力を促す処理」とは、例えば図１０（ａ）に示す表示画面Ｄ２を表示装置９１に表示することが考えられる。ここで、「ユーザ情報」とは、録画や再生を行うユーザを識別するための情報であることから、図示のように、表示画面Ｄ２においてユーザ候補（ユーザ１、ユーザ２、ユーザ３）を複数表示し、この中から何れか１を選択させる構成でもよい。また、識別情報リスト１１０を表示するリスト・再生画面Ｄ１（図８参照）を表示させる前に、例えば図１０（ｂ）に示す表示画面Ｄ３を表示させることにより、選択されたユーザの識別情報リスト１１０のみを表示することも可能である。
【００７３】
以上説明したように、本発明の録画データ再生装置１０は、録画データの各コンテンツに対するユーザ嗜好度Ｐを決定し、決定したユーザ嗜好度Ｐに応じて、そのコンテンツを含む録画データの要約データにおける要約形態を変更するので、ユーザの各コンテンツに対する嗜好度を考慮した、適切な要約データをユーザへ提供することができる。すなわち、ユーザは自身の各コンテンツに対する嗜好度に応じて様々な用途にそのコンテンツの要約データを利用し易くなる。
【００７４】
なお、アクセス履歴Ａｃとして、コンテンツの録画履歴および再生視聴履歴に加え、コンテンツのリアルタイム視聴履歴をさらに記憶し、これらに基づいてユーザ嗜好度Ｐを決定してもよい。これにより、ユーザがコンテンツを録画することなくリアルタイムで視聴した視聴履歴もアクセス履歴として記憶されるので、ユーザ嗜好度Ｐの精度をさらに向上させることができる。
【００７５】
また、上記の各実施形態に示した録画データ再生装置１０における各部、並びに各機能をプログラムとして提供することも可能である。また、そのプログラムを記録媒体（図示省略）に格納して提供することも可能である。記録媒体としては、ＣＤ―ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスク、フレキシブルディスクおよびハードディスク等を利用することができる。
【００７６】
また、上述した実施例によらず、装置構成や処理工程等について、本発明の要旨を逸脱しない範囲で、適宜変更も可能である。
【符号の説明】
【００７７】
１０    録画データ再生装置
３０    制御部
３２    要約データ生成部
３３    要約データ変更部
３４    嗜好度決定部
３５    リスト生成部
４０    記憶部
４１    録画データ記憶部
５０    再生・表示部
５２    要約データ再生部
５３    表示制御部
１１０  識別情報リスト
１２０  再生映像
ＣＩ    コンテンツ識別情報
Ｄ１    リスト・再生画面
Ａｃ    アクセス履歴
Ｂ      抽出開始位置
Ｐ      ユーザ嗜好度
Ｔ      抽出時間
【図１】
0004739346.tif 000002
【図２】
0004739346.tif 000003
【図３】
0004739346.tif 000004
【図４】
0004739346.tif 000005
【図５】
0004739346.tif 000006
【図６】
0004739346.tif 000007
【図７】
0004739346.tif 000008
【図８】
0004739346.tif 000009
【図９】
0004739346.tif 000010
【図１０】
0004739346.tif 000011